(57)【特許請求の範囲】
【請求項１】
底壁の周縁に周壁と該周壁内の前記底壁の略中心に先尖りの突起部を備える容器本体と、前記突起部を取り囲み前記底壁上に載置される含浸保持材と、前記容器本体の前記突起部側を覆う穴を備えた弾性を有するドーム状の外蓋と、前記容器本体と前記外蓋の間に介在して常温揮散性薬液入り包装体を前記突起部上で前記薬液入り包装体と前記突起部とが直接対向するように支持する弾性を有する支持部を周状支持体上に備えた内蓋とからなり、前記外蓋の周端部の内周面と前記内蓋の周状支持体の外周面とが係合し、前記容器本体の周壁の内周面と前記外蓋の周端部の外周面とが嵌合したことを特徴とする容器。
【請求項２】
前記支持部に前記薬液入り包装体を位置決めする位置決め手段が設けられていることを特徴とする請求項１記載の容器。
【請求項３】
前記薬液入り包装体は上面とその略中央部に形成された薬液を収容する凹部とを備えた成形体と、該成形体の前記上面と熱接着することにより前記凹部を密封するように設けられるシート状蓋体とから構成され、該シート状蓋体が前記突起部と対向するように支持されていることを特徴とする請求項１、２のいずれかに記載の容器。
【発明の詳細な説明】
【０００１】
【発明の属する技術分野】
本発明は、殺虫、防虫、害虫忌避、芳香、消臭等の常温揮散性薬液が収容された密封包装体を収納すると共に、使用時には密封包装体をワンアクションで開封して一定期間安定して徐々に空気中に放出することができる容器に関する。
【０００２】
【従来の技術】
従来、殺虫、防虫、害虫忌避、芳香、消臭等を目的として、揮散性薬液を入れた容器が多数提案されると共に市販されている。この代表的なものの一つとして、芳香剤容器がある。この芳香剤容器は、使用時までは中栓等で密封されており、使用時になって始めて揮散性芳香薬液が収容された容器本体から外蓋を外して容器本体を密封している中栓等を取り除き、その後に外蓋（吸液芯を備えている）を再度装着することにより、吸液芯を容器本体内の揮散性芳香薬液に浸し、これにより揮散性芳香薬液を吸液芯に導き、吸液芯から揮散性芳香薬液を室内に放出させて芳香効果を得るものである。
【０００３】
また、他の代表的なものとして、液体式電気蚊取り器がある。この液体式電気蚊取り器は、加熱揮散性殺虫薬液が収容されると共に加熱揮散性殺虫薬液に浸された吸液芯を備えた外蓋で密封された容器と別体の加熱揮散器とからなり、使用時になって始めて加熱揮散性殺虫薬液が収容された容器の外蓋を外して加熱揮散器に容器を装着し、これにより露出した吸液芯を加熱揮散器に備えた発熱体により加熱して吸液芯から加熱揮散性殺虫薬液を室内に放出させて殺虫効果を得るものである。
【０００４】
上記に例示したものはいずれも、使用時の操作が上記したように結構煩雑であって使用状態にセットするまでの手間が結構かかると共に、薬液が手指等に付着する危険性を有しており、また、液体式電気蚊取り器にあっては、別体の加熱揮散器を必要とする上に、火災の危険性や電源のある場所でしか使用できないといった問題がある。
【０００５】
【発明が解決しようとする課題】
そこで本発明は、上記問題を解決するためになされたものであって、使用時までは殺虫、防虫、害虫忌避、芳香、消臭等の常温揮散性薬液が収容された包装体を収納すると共に、使用時には手指に薬液が付着することなく包装体をワンアクションで開封することができ、一定期間常温揮散性薬液を安定して徐々に空気中に放出することができる容器を提供することである。
【０００６】
【課題を解決するための手段】
本発明者は、上記課題を達成するために、請求項１記載の本発明の容器は、底壁の周縁に周壁と該周壁内の前記底壁の略中心に先尖りの突起部を備える容器本体と、前記突起部を取り囲み前記底壁上に載置される含浸保持材と、前記容器本体の前記突起部側を覆う穴を備えた弾性を有するドーム状の外蓋と、前記容器本体と前記外蓋の間に介在して常温揮散性薬液入り包装体を前記突起部上で前記薬液入り包装体と前記突起部とが直接対向するように支持する弾性を有する支持部を周状支持体上に備えた内蓋とからなり、前記外蓋の周端部の内周面と前記内蓋の周状支持体の外周面とが係合し、前記容器本体の周壁の内周面と前記外蓋の周端部の外周面とが嵌合したことを特徴とするものである。このように構成することにより、使用時までは薬液入り包装体を収納すると共に、使用時には、ドーム状の外蓋の中心部を容器本体側に手指等で押圧し、容器本体に設けた先尖りの突起部で薬液入り包装体を開封（破袋）して薬液の流出を許容する。このとき流出した薬液が容器本体の底壁上に載置した含浸保持材に吸液されると共に含浸保持材から薬液が徐々に空気中に放出され、殺虫、防虫、害虫忌避、芳香、消臭等の効果が発揮される。したがって、使用時にはワンアクションの操作で使用状態にセットすることができると共に、手指等に薬液が付着することがない。また、火災の危険性がなく、使用場所を選ぶことがない。
【０００７】
また、請求項２記載の本発明は、請求項１記載の容器において、前記支持部に前記薬液入り包装体を位置決めする位置決め手段が設けられていることを特徴とするものである。このように構成することにより、輸送中等において容器に外力が加わっても、薬液入り包装体を確実に所定位置に確保することができる。
【０００８】
また、請求項３記載の本発明は、請求項１、２のいずれかに記載の容器において、前記薬液入り包装体は上面とその略中央部に形成された薬液を収容する凹部とを備えた成形体と、該成形体の前記上面と熱接着することにより前記凹部を密封するように設けられるシート状蓋体とから構成され、該シート状蓋体が前記突起部と対向するように支持されていることを特徴とするものである。このように構成することにより、内蓋に設けた支持部で容易に支持することができると共にドーム状の外蓋の中心部を容器本体側に手指等で押圧することにより容器本体に設けた先尖りの突起部で簡単に包装体を開封（破袋）することができる。
【０００９】
【発明の実施の形態】
上記の本発明について、図面等を用いて以下に詳述する。
図１は本発明にかかる容器の一実施例を示す（ａ）は概略断面図、（ｂ）は（ａ）の要部拡大図、図２は図１に示す容器を構成する容器本体の平面図、図３は図１に示す容器を構成する外蓋の（ａ）は側面図、（ｂ）は平面図、図４は図１に示す容器を構成する内蓋の（ａ）は平面図、（ｂ）は（ａ）のＸ−Ｘ線端面図、図５は本発明にかかる容器の使用方法を説明する図であり、図中の１は容器、２は容器本体、３は外蓋、４は内蓋、５は包装体、６は含浸保持材、２１は底壁、２２は周壁、２３は突起部、２４は環状凹部、３１は穴、３２は環状凸部、３３は環状切欠、４１は支持部、４２は周状支持体、４３は位置決め手段、４４は環状突部、５１は成形体、５２はシート状蓋体、Ａは外蓋の天部、Ｌは薬液をそれぞれ示す。
【００１０】
図１は本発明にかかる容器の一実施例を示す（ａ）は概略断面図、（ｂ）は（ａ）の要部拡大図、図２は図１に示す容器を構成する容器本体の平面図であって、容器１は円形状底壁２１の周縁に周壁２２と該周壁２２内の前記底壁２１の略中心に先尖りの突起部２３を備える容器本体２と、前記突起部２３を取り囲み前記底壁２１上に載置された含浸保持材６と、前記容器本体２の前記突起部２３側を覆う天部Ａ以外の個所に複数の穴３１（図３参照）を設けた弾性を有するドーム状の外蓋３と、前記容器本体２と前記外蓋３の間に介在して常温揮散性薬液入り包装体５を前記突起部２３上で前記包装体５と前記突起部２３とが直接対向するように支持する弾性を有する支持部４１を周状支持体４２上に備えると共に前記支持部４１上に前記外蓋３側へ突出して前記包装体５を位置決めする位置決め手段４３が設けられた内蓋４とからなり、前記容器本体２の前記周壁２２の内周面に環状凹部２４が設けられると共に前記内蓋４の前記周状支持体４２の外周面には環状突部４４が設けられ、さらに前記外蓋３の周端部の外周面及び内周面にはそれぞれ前記容器本２体の前記周壁２２の内周面に設けた前記環状凹部２４と嵌合する環状凸部３２及び前記内蓋４の前記周状支持体４２の外周面に設けた前記環状突部４４と係合する前記環状切欠３３が設けられ、前記外蓋３と前記内蓋４を前記環状突部４４と前記環状切欠３３で係合すると共に前記容器本体２と前記外蓋３を前記環状凹部２４と前記環状凸部３２で嵌合したものである。
【００１１】
前記容器本体２は合成樹脂からなる射出成形品であって、射出成形可能な樹脂であれば特に限定するものではないが、たとえば、ポリプロピレン、ポリエステル等を用いることができ、必要に応じて着色しても構わない。また、前記含浸保持材６としては、吸液性があって、そこから薬液が徐々に揮散できるような材料であれば特に限定するものではないが、たとえば、フェルトや不織布、紙、布等を挙げることができる。
【００１２】
図３は図１に示す容器を構成する外蓋の（ａ）は側面図、（ｂ）は平面図であって、外蓋３はドーム状からなり、天部Ａ以外の球面に大小２つの大きさの穴３１が図３上は合計８箇所設けられると共に周端部の外周面に環状凸部３２が設けられた合成樹脂からなる射出成形品であって、可撓性を有する合成樹脂を用いることにより、弾性を有するように設計されているものである。これに用いる合成樹脂としては、可撓性を有する樹脂であれば特に限定するものではないが、成形性やコストを考慮するとポリエチレン、ポリプロピレン等が適当であり、必要に応じて着色してもよいものである。また、無着色、着色いずれにおいても透明性を有するように構成することにより、後述する包装体５の開封を目視で確認することができるという利便性を付与することができる。なお、前記穴３１は、後述するが、薬液が吸液された含浸保持材６を指で触り、その指を舐める可能性のある乳幼児等の指が入らない程度の大きさに設計して、乳幼児等が薬液に触れることがないように構成するのが望ましい。そして、前記穴３１は、前記含浸保持材６に吸液された薬液を容器１から室内等の空気中に揮散するために形成されているものであって、前記穴３１の個数は図３に示したように８個に限ることはなく、適当数設ければよいものである。
【００１３】
図４は図１に示す容器を構成する内蓋の（ａ）は平面図、（ｂ）は（ａ）のＸ−Ｘ線端面図であって、内蓋４は周状支持体４２上の該周状支持体４２を周方向に４等分する位置に凸状に湾曲して突出形成された支持部４１を備えると共に該支持部４１上の前記周状支持体４２から等しい４つの位置に前記周状支持体４２の反対方向に突出する突片からなる位置決め手段４３が設けられ、さらに前記周状支持体４２の外周面に環状突部４４が設けられたものであって、前記４つの位置決め手段４４で囲まれた前記支持部４１上に薬液入り包装体５（図１参照）が架設され、前記位置決め手段４４により前記包装体５が位置決めされる。この内蓋４は、合成樹脂からなる射出成形品であって、可撓性を有する合成樹脂を用いることにより、また、前記支持部４１を凸状に湾曲して突出形成した構造とすることにより、弾性を有するように設計されているものである。これに用いる合成樹脂としては、可撓性を有する樹脂であれば特に限定するものではないが、成形性やコストを考慮するとポリエチレン、ポリプロピレン等が適当であり、これについても必要に応じて着色してもよいものである。
【００１４】
次に、前記支持部４１上に架設される薬液入り包装体について説明する。
薬液入り包装体５は上面とその略中央部に形成された薬液を収容する凹部とを備えた成形体５１と、該成形体５１の前記上面と熱接着することにより前記凹部を密封するように設けられるシート状蓋体５２とから構成されているものである。成形体５１は、合成樹脂を射出成形することにより成形された射出成形品であってもよいし、合成樹脂シートを真空および／ないし圧空成形することにより成形された絞り成形品であってもよいし、また、金属箔をプレス成形することにより成形されたプレス成形品であってもよいが、射出成形品や絞り成形品にあっては包装体５としたときに包装体５からの薬液の揮散を一定期間防止する必要があり、特に水蒸気ガスバリアー性に優れた構成とする必要がある。また、シート状蓋体５２は、上記した成形体５１と同様に水蒸気ガスバリアー性が求められると共に、後述するが容器本体２に設けた先尖り突起部２３で突刺すことにより穴が開けられて開封されるために、易突刺し性に構成しておく必要がある。また、成形体５１とシート状蓋体５２とは熱接着することにより密封されるために、成形体５１とシート状蓋体５２との熱接着面は熱接着可能に構成しておく必要がある。上記要件を満たす成形体５１としては、たとえば、プロピレン樹脂からなる射出成形品、あるいは、ポリプロピレン（ＰＰ）シートやＰＰ／エチレン−ビニルアルコール共重合体／ＰＰからなる共押出しシートの絞り成形品やアルミニウム箔の一方の面に熱接着性樹脂層を設けたプレス成形品などを挙げることができ、また、シート状蓋体５２としては、二軸延伸ポリエチレンテレフタレート（ＰＥＴ）／エチレン−ビニルアルコール共重合体シート／熱接着性樹脂層（ＰＰシート等）、ＰＥＴ／アルミニウム箔／熱接着性樹脂層（ＰＰシート等）などを挙げることができる。なお、薬液入り包装体５は、上記した成形品に限るものではなく、三方シールや四方シールタイプ等の包装袋であってもよいものである。
【００１５】
次に、本発明の容器の使用方法について説明する。
図５は本発明にかかる容器の使用方法を説明する図であって、本発明の容器１は使用者が使用する時までは、図１に示す状態で紙箱等の外装で保護されている。使用者は、まず紙箱等の外装から容器１を取り出す。そして、容器１を所望の場所に設置すると共に外蓋３の天部Ａを手指等で押圧することにより内蓋４の支持部４１上に架設された薬液入り包装体５を押し下げて、図５（ａ）に示すように容器本体２の略中央部に設けられた先尖り突起部２３で前記包装体５のシート状蓋体５２を突き破ることにより包装体５を開封する。この包装体５の開封を確認して後に押圧を取り去ると、外蓋３及び内蓋４は弾性により図５（ｂ）に示すように元の状態に戻る。包装体５内の薬液Ｌはシート状蓋体５を突き破ることにより自然流下して容器本体２の底壁２１上に載置された含浸保持材６に吸液されると共に含浸保持材６に吸液された前記薬液Ｌが含浸保持材６から徐々に空気中に放出され、殺虫、防虫、害虫忌避、芳香、消臭等の効果が一定期間発揮される。このように、使用時にはワンアクションの操作で使用状態にセットすることができると共に、手指等に薬液Ｌが付着することがなく極めて衛生的かつ安全である。また、火災等の危険性がなく、場所を選ぶこともない。
【００１６】
また、本発明の容器１は外蓋３の天部Ａを手指等で押圧することにより内蓋４の支持部４１上に架設された薬液入り包装体５を押し下げて、図５（ａ）に示すように容器本体２の略中央部に設けられた先尖り突起部２３で前記包装体５のシート状蓋体５２を突き破ることにより包装体５を開封する構成となっており、図示はしないが、手指等で外蓋３の天部Ａを押圧した時に、一定距離以上は押し下げることができないように、容器１にストッパー機能を持たせた構成としてもよいものである。
【００１７】
【発明の効果】
以上縷々説明したように、本発明の容器は、使用時までは殺虫、防虫、害虫忌避、芳香、消臭等の常温揮散性薬液が収容された包装体を収納すると共に、使用時には手指に薬液が付着することなく包装体をワンアクションで開封することができ、極めて衛生的かつ安全である、また、含浸保持材に吸液された薬液は含浸保持材から徐々に空気中に放出されるために一定期間安定して殺虫、防虫、害虫忌避、芳香、消臭等の効果を発揮する、等の数々の優れた効果を奏する。
【図面の簡単な説明】
【図１】  本発明にかかる容器の一実施例を示す（ａ）は概略断面図、（ｂ）は（ａ）の要部拡大図である。
【図２】  図１に示す容器を構成する容器本体の平面図である。
【図３】  図１に示す容器を構成する外蓋の（ａ）は側面図、（ｂ）は平面図である。
【図４】  図１に示す容器を構成する内蓋の（ａ）は平面図、（ｂ）は（ａ）のＸ−Ｘ線端面図である。
【図５】  本発明にかかる容器の使用方法を説明する図である。
【符号の説明】
１                            容器
２                            容器本体
３                            外蓋
４                            内蓋
５                            包装体
６                            含浸保持材
２１                          底壁
２２                          周壁
２３                          突起部
２４                          環状凹部
３１                          穴
３２                          環状凸部
３３                          環状切欠
４１                          支持部
４２                          周状支持体
４３                          位置決め手段
４４                          環状突部
５１                          成形体
５２                          シート状蓋体
Ａ                            外蓋の天部
Ｌ                            薬液
【図１】
0003789805.tif 000002
【図２】
0003789805.tif 000003
【図３】
0003789805.tif 000004
【図４】
0003789805.tif 000005
【図５】
0003789805.tif 000006